(57)【要約】【課題】根太と柱の連結作業が容易であると共に、根太と柱の位置合わせの精度が高い連結構造を提供する。【解決手段】連結構造２８は、根太２２と根太２６と土台柱２４が連結されたものであって、根太２２と根太２６は、それらの側部をそれぞれ貫通する孔２２ａと孔２６ａを有し、土台柱２４は、孔２２ａと孔２６ａに嵌まる突出部２４ａを有し、突出部２４ａの一部が孔２６ａから飛び出すように、土台柱２４の突出部２４ａが根太２２の孔２２ａと根太２６の孔２６ａに嵌め込まれて連結されている。土台柱２４の突出部２４ｂは、地中に埋設されたり、コンクリート等によって地中で固定されたりする。土台柱２４は、金属製のパイプの周囲に樹脂を成形して作製される。【選択図】図３
0003163593.tif 000002
【実用新案登録請求の範囲】
【請求項１】
根太と柱が連結された連結構造であって、
前記根太は、その側部を貫通する孔を有し、
前記柱は、前記孔に嵌まる突出部を有し、
前記突出部の一部が前記孔から飛び出すように、前記柱の突出部が前記根太の孔に嵌め込まれて連結された連結構造。
【請求項２】
前記根太の孔から飛び出した突出部で、前記柱と他の根太がさらに連結された連結構造であって、
前記他の根太は、その側部を貫通する孔を有し、
前記突出部の一部が前記他の根太の孔から飛び出すように、前記柱の突出部が前記他の根太の孔に嵌め込まれて連結された請求項１に記載の連結構造。
【請求項３】
前記他の根太の孔から飛び出した突出部で、前記柱と他の柱がさらに連結された連結構造であって、
前記他の柱は、前記突出部に嵌まる凹部を有し、
前記他の柱の凹部が前記柱の突出部に嵌め込まれて、前記柱と前記他の柱が直線状に連結された請求項２に記載の連結構造。
【考案の詳細な説明】
【技術分野】
【０００１】
本考案は、フェンスユニットや建物ユニット等を簡易に組み立てるのに適した連結構造に関し、より詳しくは、根太と柱が連結された連結構造に関するものである。
【背景技術】
【０００２】
従来、根太と柱の連結は金具等を用いて行っていた。すなわち、根太と柱を垂直に接触させ、平板状の金具を根太と柱にまたがるように設置し、その金具を根太と柱にネジ等で固定することによって根太と柱を連結していた。また、根太と柱を垂直に接触させ、断面がＬ字状の金具を根太と柱にまたがるように設置し、その金具を根太と柱にネジ等で固定することによっても根太と柱を連結していた。
【０００３】
しかしながら、上記のような金具等を用いた連結構造では、連結作業に時間と労力を要する。また、上記のような金具等を用いた連結構造では、根太と柱の位置合わせの精度が高くはなかった。
【考案の概要】
【考案が解決しようとする課題】
【０００４】
本考案はこのような事情に鑑みてなされたものであり、根太と柱の連結作業が容易であると共に、根太と柱の位置合わせの精度が高い連結構造を提供することを目的とする。
【課題を解決するための手段】
【０００５】
本考案の連結構造は、根太と柱が連結された連結構造であって、根太は、その側部を貫通する孔を有し、柱は、孔に嵌まる突出部を有し、突出部の一部が孔から飛び出すように、柱の突出部が根太の孔に嵌め込まれて連結されている。
【０００６】
本考案の連結構造において、根太の孔から飛び出した突出部で、柱と他の根太がさらに連結され、他の根太は、その側部を貫通する孔を有し、突出部の一部が他の根太の孔から飛び出すように、柱の突出部が他の根太の孔に嵌め込まれて連結されていてもよい。
【０００７】
本考案の連結構造において、他の根太の孔から飛び出した突出部で、柱と他の柱がさらに連結され、他の柱は、突出部に嵌まる凹部を有し、他の柱の凹部が柱の突出部に嵌め込まれて、柱と他の柱が直線状に連結されていてもよい。
【考案の効果】
【０００８】
本考案の連結構造によれば、根太と柱の連結作業が容易であると共に、根太と柱の位置合わせの精度が高い。
【図面の簡単な説明】
【０００９】
【図１】本考案の連結構造を含むフェンスユニットの正面図である
【図２】本考案の連結構造を含む建物ユニットの斜視図である。
【図３】本考案の連結構造を含む建物ユニットの組み立て途中の部分斜視図である。
【図４】本考案の連結構造を含む建物ユニットの部分組立図である。
【図５】本考案の連結構造を含むバルコニーユニットの斜視図である。
【考案を実施するための形態】
【００１０】
以下、本考案の連結構造について、この連結構造を有するフェンスユニット、建物ユニット、およびバルコニーユニットの実施形態に基づいて説明する。なお、図面は連結構造、フェンスユニット、建物ユニット、およびバルコニーユニットを模式的に表したものであり、これらの実際の寸法および寸法比は、図面上の寸法および寸法比と必ずしも一致していない。また、重複説明は適宜省略し、同一部材には同一符号を付与することもある。
【００１１】
（フェンスユニット）
図１は、本実施形態のフェンスユニット１０の正面図である。フェンスユニット１０は、根太１２と、柱である支柱１４と、板状部材１６とを備え、根太１２と支柱１４が連結された連結構造１８を有する。複数のフェンスユニット１０を横方向に並べて配置すればフェンスとなる。
【００１２】
根太１２は、その側部を貫通する孔１２ａを有する。支柱１４は、孔１２ａに嵌まる突出部１４ａを有する。突出部１４ａは、支柱１４の端面から長手に突出している。連結構造１８では、突出部１４ａの一部が孔１２ａから飛び出すように、突出部１４ａが孔１２ａに嵌め込まれて連結されている。
【００１３】
根太１２は、直方体形状を有する樹脂材で、横たわって地面に設置されている。本実施形態では、根太１２が直方体形状を有する樹脂材であるが、根太１２が六角柱等の他の多角柱や円柱等の形状を有していてもよく、また、木材、石材、セラミックス材、または木材が添加された樹脂材等であってもよい。根太１２の表面に木目模様等の模様が付与されていてもよい。
【００１４】
支柱１４は、突出部１４ａを除くと、直方体形状を有する樹脂材で、根太１２と垂直方向に設置され、支柱１４の突起部１４ａが根太１２の孔１２ａに嵌め込まれている。また、突出部１４ａの一部が孔１２ａから飛び出し、フェンスユニット１０では、この飛び出した突起部１２ａが地中Ｇに埋設されている。突起部１４ａは、金属製のパイプで構成されている。支柱１４は、例えば、金属製のパイプの周囲に樹脂を成形して作製される。
【００１５】
支柱１４も根太１２と同様に、六角柱等の他の多角柱や円柱等の形状を有していてもよく、木材、石材、セラミックス材、または木材が添加された樹脂材等であってもよく、表面に木目模様等の模様が付与されていてもよい。また、突起部１４ａは、木製、樹脂製等であってもよく、中空であっても中実であってもよい。
【００１６】
板状部材１６は、直接的または間接的に２本の支柱１４で支持され、２本の支柱１４の間に設けられている。根太１２と、支柱１４と、板状部材１６とで、柵として機能する。
本実施形態のフェンスユニット１０では、板状部材１６を使用したが、これに代えて、丸棒状部材（円柱状部材）、多角柱状部材、またはこれらを適宜組み合わせた部材等を用いてもよい。フェンスユニット１０は、根太１２を地面に設置し、その後、板状部材１６を支持した支柱１４の突出部１４ａを根太１２の孔１２ａに差し込み、そして、孔１２ａから飛び出した突出部１４ａを土やコンクリート等で覆うことにより突出部１４ａを地中に埋設して組み立てられる。このようにして、フェンスユニット１０を簡易に組み立てることができる。
【００１７】
また、根太１２に予め設けられている孔１２ａに、支柱１４に予め設けられている突出部１４ａが嵌め込まれるので、フェンスユニット１０の組み立て現場における施工誤差が少なくなる。すなわち、根太１２と支柱１４の位置合わせの精度が高くなる。さらに、孔１２ａから飛び出した突出部１４ａを地中に埋設できるので、またはコンクリート等によって突出部１４ａを地中で固定できるので、フェンスユニット１０が倒壊しにくくなる。
【００１８】
（建物ユニット）
図２は、本実施形態の建物ユニット２０の斜視図である。図３は、本実施形態の建物ユニット２０の組み立て途中の部分斜視図である。図４は、本実施形態の建物ユニット２０の部分組立図である。建物ユニット２０は、例えば、屋外に設置して日光浴を楽しむ小屋の基本構造として使用されるが、用途はこれに限定されない。建物ユニット２０は、根太２２と、柱である土台柱２４と、他の根太２６とを備え、根太２２と土台柱２４が連結された連結構造２８を有する。
【００１９】
根太２２は、その側部を貫通する孔２２ａを有する。土台柱２４は、孔２２ａに嵌まる突出部２４ａと他の突起部２４ｂとを有する。突出部２４ａ，２４ｂは、土台柱２４のそれぞれの端面から長手に突出している。連結構造２８では、突出部２４ａの一部が孔２２ａから飛び出すように、突出部２４ａが孔２２ａに嵌め込まれて連結されている。連結構造２８では、根太２２の孔２２ａから飛び出した突出部２４ａで、土台柱２４と根太２６がさらに連結されている。根太２６は、その側部を貫通する孔２６ａを有し、突出部２４ａの一部が根太２６の孔２６ａから飛び出すように、土台柱２４の突出部２４ａが根太２６の孔２６ａに嵌め込まれて連結されている。
【００２０】
また、連結構造２８では、根太２６の孔２６ａから飛び出した突出部２４ａで、土台柱２４と他の柱３０がさらに連結されている。柱３０は、突出部２４ａに嵌まる凹部３０ａを有し、柱３０の凹部３０ａが土台柱２４の突出部２４ａに嵌め込まれて、土台柱２４と柱３０が直線状に連結されている。
【００２１】
土台柱２４は、突出部２４ａ，２４ｂを除くと、直方体形状を有する樹脂材で、鉛直に設置され、土台柱２４の突起部２４ａが根太２２の孔２２ａに嵌め込まれている。また、突出部２４ａの一部が孔２２ａから飛び出している。一方、突出部２４ｂは、地中に埋設されたり、コンクリート等によって地中で固定されたりする。突出部２４ａ，２４ｂは、金属製のパイプで構成されている。土台柱２４は、例えば、金属製のパイプの周囲に樹脂を成形して作製される。
【００２２】
根太２２，２６は、直方体形状を有する樹脂材で、土台柱２４の上に水平に設置されている。根太２２，２６は、六角柱等の他の多角柱や円柱等の形状を有していてもよく、また、木材、石材、セラミックス材、または木材が添加された樹脂材等であってもよく、表面に木目模様等の模様が付与されていてもよい。土台柱２４も根太２２，２６と同様に、六角柱等の他の多角柱や円柱等の形状を有していてもよく、木材、石材、セラミックス材、または木材が添加された樹脂材等であってもよく、表面に木目模様等の模様が付与されていてもよい。また、突起部２４ａ，２４ｂは、木製、樹脂製等であってもよく、中空であっても中実であってもよい。
【００２３】
建物ユニット２０は、土台柱２４を地面に設置し、その後、土台柱２４の突出部２４ａに根太２２の孔２２ａを差し込み、そして、孔２２ａから飛び出した突出部２４ａに根太２６の孔２６ａをさらに差し込み、ついで、柱３０の凹部３０ａを土台柱２４の突出部２４ａに嵌め込んで途中まで組み立てられる。
【００２４】
その後、柱３０の上部に梁３２を取り付け、そして、必要に応じて、布製または樹脂製等の屋根や、樹脂製または木製等の壁体などを取り付けて建物ユニット２０の組み立てが完成する。屋根は、オーニングと呼ばれる可動式の日よけ、雨よけであってもよい。なお、柱３０と梁３２を連結する構造は、連結構造２８と同様のものが採用できる。すなわち、柱３０の上方に突出した突出部に、２つの梁の孔を嵌め込んで２つの梁が直交するようにしてもよい。このとき、２つの梁から柱３０の突出部が飛び出さないようにしてもよいし、飛び出すようにしてもよい。飛び出すようにした場合、飛び出した突出部にキャップを装着してもよい。
【００２５】
このように、連結構造２８を採用することによって、建物ユニット２０を簡易に組み立てることができる。また、根太２２，２６に予め設けられている孔２２ａ，２６ａに、土台柱２４に予め設けられている突出部２４ａを嵌め込むので、建物ユニット２０の組み立て現場における施工誤差が少なくなる。すなわち、根太２２，２６と土台柱２４の位置合わせの精度が高くなる。
【００２６】
（バルコニーユニット）
図５は、本実施形態のバルコニーユニット４０の斜視図である。バルコニーユニット４０は、例えば、家屋の掃き出し窓の外側に後付けで設置するバルコニーの基本構造として使用されるが、用途はこれに限定されない。バルコニーユニット４０は、根太２２と、柱である土台柱２４と、他の根太２６とを備え、根太２２，２６と土台柱２４が連結された連結構造２８を有する。
【００２７】
バルコニーユニット４０と建物ユニット２０の構成部材は、共通するものが多い。以下では、主に相違点について説明する。バルコニーユニット４０は、土台柱２４を地面に設置し、その後、土台柱２４の突出部に根太２２の孔を差し込み、そして、孔から飛び出した突出部に根太２６の孔をさらに差し込み、ついで、柱３０の凹部を土台柱２４の突出部に嵌め込んで途中まで組み立てられる。
【００２８】
その後、柱３０の上部に手すり４２を取り付ける。なお、柱３０の上部に手すり４２がない個所が設けられている。手すり４２がない個所は、庭等の屋外から昇ったり、屋外に降りたりする出入口として使用される。この出入口に、階段を設置してもよい。なお、手すり４２の設置工程の前後に、床材（不図示）を根太２２，２６の上に設置する。床材は、板形状、丸太形状、または四角柱形状を有していてもよく、また、樹脂材、木材、または木材が添加された樹脂材等であってもよく、表面に木目模様等の模様が付与されていてもよい。
【符号の説明】
【００２９】
１０    フェンスユニット
１２    根太
１２ａ  孔
１４    支柱
１４ａ  突出部
１６    板状部材
１８    連結構造
２０    建物ユニット
２２    根太
２２ａ  孔
２４    土台柱
２４ａ  突出部
２４ｂ  他の突出部
２６    他の根太
２６ａ  孔
２８    連結構造
３０    柱
３０ａ  凹部
４０    バルコニーユニット
４２    手すり
【図１】
0003163593.tif 000003
【図２】
0003163593.tif 000004
【図３】
0003163593.tif 000005
【図４】
0003163593.tif 000006
【図５】
0003163593.tif 000007